(57)【要約】【課題】高圧洗浄機において、トリガガンを保持するユーザの手に振動が伝達することを抑制することが可能な技術を提供する。【解決手段】本明細書は、高圧洗浄機に用いられるトリガガンを開示する。前記トリガガンは、ハウジングと、前記ハウジングの内部に収容されており、洗浄水が流れる流路と、前記流路の開閉を切り換えるトリガレバーと、前記流路と前記ハウジングの間の振動伝達経路に介在する防振部材を備えていてもよい。本明細書は、高圧洗浄機も開示する。前記高圧洗浄機は、洗浄水を加圧して送り出す洗浄機本体と、前記洗浄水を噴射するノズルと、前記洗浄機本体と前記ノズルの間に介在しており、前記洗浄機本体から前記ノズルへ前記洗浄水を供給する状態と、前記洗浄機本体から前記ノズルへの前記洗浄水の供給を遮断する状態の間で切り換わる前記トリガガンを備えていてもよい。【選択図】図４
2019205958.tif 000002
【特許請求の範囲】
【請求項１】
高圧洗浄機に用いられるトリガガンであって、
ハウジングと、
前記ハウジングの内部に収容されており、洗浄水が流れる流路と、
前記流路の開閉を切り換えるトリガレバーと、
前記流路と前記ハウジングの間の振動伝達経路に介在する防振部材を備えるトリガガン。
【請求項２】
前記ハウジングが、把持部を備えており、
前記防振部材が、前記流路と前記把持部の間の振動伝達経路に介在している、請求項１のトリガガン。
【請求項３】
前記流路が、前記洗浄水が流れる方向に略直交する方向に向けて突出する支持柱を備えており、
前記支持柱が、前記防振部材を介して、前記ハウジングに連結している、請求項１または２のトリガガン。
【請求項４】
前記防振部材が、防振ゴムまたは防振ゲルである、請求項１から３の何れか一項のトリガガン。
【請求項５】
洗浄水を加圧して送り出す洗浄機本体と、
前記洗浄水を噴射するノズルと、
前記洗浄機本体と前記ノズルの間に介在しており、前記洗浄機本体から前記ノズルへ前記洗浄水を供給する状態と、前記洗浄機本体から前記ノズルへの前記洗浄水の供給を遮断する状態の間で切り換わるトリガガンを備える高圧洗浄機であって、
前記トリガガンが、
ハウジングと、
前記ハウジングの内部に収容されており、洗浄水が流れる流路と、
前記流路の開閉を切り換えるトリガレバーと、
前記流路と前記ハウジングの間の振動伝達経路に介在する防振部材を備える、高圧洗浄機。
【請求項６】
前記ハウジングが、把持部を備えており、
前記防振部材が、前記流路と前記把持部の間の振動伝達経路に介在している、請求項５の高圧洗浄機。
【請求項７】
前記流路が、前記洗浄水が流れる方向に略直交する方向に向けて突出する支持柱を備えており、
前記支持柱が、前記防振部材を介して、前記ハウジングに連結している、請求項５または６の高圧洗浄機。
【請求項８】
前記防振部材が、防振ゴムまたは防振ゲルである、請求項５から７の何れか一項の高圧洗浄機。
【発明の詳細な説明】
【技術分野】
【０００１】
本明細書で開示する技術は、トリガガンおよび高圧洗浄機に関する。
【背景技術】
【０００２】
特許文献１には、高圧洗浄機に用いられるトリガガンが開示されている。トリガガンは、ハウジングと、前記ハウジングの内部に収容されており、洗浄水が流れる流路と、前記流路の開閉を切り換えるトリガレバーを備えている。
【先行技術文献】
【特許文献】
【０００３】
【特許文献１】特開２００５−３１３００８号公報
【発明の概要】
【発明が解決しようとする課題】
【０００４】
高圧洗浄機においては、洗浄機本体からトリガガンに供給される洗浄水の水量や水圧が変動することがある。この場合、ハウジングに収容された流路には、洗浄水の水量や水圧の変動に応じた振動が生じる。この振動がハウジングにそのまま伝達すると、トリガガンを保持しているユーザの手にも振動が伝わり、作業性や快適性を損なってしまう。本明細書では、高圧洗浄機において、トリガガンを保持するユーザの手に振動が伝達することを抑制することが可能な技術を提供する。
【課題を解決するための手段】
【０００５】
本明細書は、高圧洗浄機に用いられるトリガガンを開示する。前記トリガガンは、ハウジングと、前記ハウジングの内部に収容されており、洗浄水が流れる流路と、前記流路の開閉を切り換えるトリガレバーと、前記流路と前記ハウジングの間の振動伝達経路に介在する防振部材を備えていてもよい。
【０００６】
本明細書は、高圧洗浄機も開示する。前記高圧洗浄機は、洗浄水を加圧して送り出す洗浄機本体と、前記洗浄水を噴射するノズルと、前記洗浄機本体と前記ノズルの間に介在しており、前記洗浄機本体から前記ノズルへ前記洗浄水を供給する状態と、前記洗浄機本体から前記ノズルへの前記洗浄水の供給を遮断する状態の間で切り換わるトリガガンを備えていてもよい。前記トリガガンは、ハウジングと、前記ハウジングの内部に収容されており、洗浄水が流れる流路と、前記流路の開閉を切り換えるトリガレバーと、前記流路と前記ハウジングの間の振動伝達経路に介在する防振部材を備えていてもよい。
【０００７】
上記のトリガガンや、上記の高圧洗浄機では、洗浄水の水量や水圧の変動に起因して流路に生じた振動が、ハウジングに伝達することが、防振部材によって抑制される。これによって、ハウジングを保持するユーザの手に振動が伝達することを抑制することができる。
【図面の簡単な説明】
【０００８】
【図１】実施例の高圧洗浄機２の全体を示す図である。
【図２】実施例の洗浄機本体４の構成を模式的に示す図である。
【図３】実施例のトリガガン６の外観を示す側面図である。
【図４】実施例のトリガガン６の内部構造を示す側面図である。
【図５】実施例のトリガガン６の縦断面図である。
【発明を実施するための形態】
【０００９】
１つまたはそれ以上の実施形態において、高圧洗浄機に用いられるトリガガンは、ハウジングと、前記ハウジングの内部に収容されており、洗浄水が流れる流路と、前記流路の開閉を切り換えるトリガレバーと、前記流路と前記ハウジングの間の振動伝達経路に介在する防振部材を備えていてもよい。
【００１０】
１つまたはそれ以上の実施形態において、高圧洗浄機は、洗浄水を加圧して送り出す洗浄機本体と、前記洗浄水を噴射するノズルと、前記洗浄機本体と前記ノズルの間に介在しており、前記洗浄機本体から前記ノズルへ前記洗浄水を供給する状態と、前記洗浄機本体から前記ノズルへの前記洗浄水の供給を遮断する状態の間で切り換わるトリガガンを備えていてもよい。前記トリガガンは、ハウジングと、前記ハウジングの内部に収容されており、洗浄水が流れる流路と、前記流路の開閉を切り換えるトリガレバーと、前記流路と前記ハウジングの間の振動伝達経路に介在する防振部材を備えていてもよい。
【００１１】
上記のトリガガンや、上記の高圧洗浄機では、洗浄水の水量や水圧の変動に起因して流路に生じた振動が、ハウジングに伝達することが、防振部材によって抑制される。これによって、ハウジングを保持するユーザの手に振動が伝達することを抑制することができる。
【００１２】
１つまたはそれ以上の実施形態において、前記ハウジングは、把持部を備えていてもよい。前記防振部材は、前記流路と前記把持部の間の振動伝達経路に介在していてもよい。
【００１３】
上記の構成によれば、洗浄水の水量や水圧の変動に起因して流路に生じた振動が、ハウジングの把持部に伝達することが、防振部材によって抑制される。これによって、ハウジングの把持部を把持するユーザの手に振動が伝達することを抑制することができる。
【００１４】
１つまたはそれ以上の実施形態において、前記流路は、前記洗浄水が流れる方向に略直交する方向に向けて突出する支持柱を備えていてもよい。前記支持柱は、前記防振部材を介して、前記ハウジングに連結していてもよい。
【００１５】
上記の構成によれば、流路のハウジングに対する支持剛性を低減することができ、流路からハウジングへの振動の伝達をより抑制することができる。
【００１６】
１つまたはそれ以上の実施形態において、前記防振部材は、防振ゴムまたは防振ゲルであってもよい。
【００１７】
上記の構成によれば、流路からハウジングへの振動の伝達を効果的に抑制することができる。
【００１８】
（実施例）
実施例の高圧洗浄機２について図面を参照しながら説明する。図１に示すように、高圧洗浄機２は、洗浄機本体４と、トリガガン６と、ノズル８を備えている。洗浄機本体４には、水道などの給水源１０から耐圧ホース１２を介して洗浄水が供給される。洗浄機本体４は、高圧ホース１４を介してトリガガン６に洗浄水を供給する。洗浄機本体４には、電源コード１６を介して外部電源１８から電力が供給される。トリガガン６には、ノズル８が取り付けられている。トリガガン６は、ユーザの操作に応じて、ノズル８へ洗浄水を供給する状態と、ノズル８への洗浄水の供給を遮断する状態の間で切り換わる。ノズル８は、トリガガン６から供給される洗浄水を先端から噴射する。
【００１９】
図２に示すように、洗浄機本体４は、ポンプ２０と、モータ２２と、リリーフバルブ２４と、圧力センサ２６と、ＥＣＵ２８を備えている。ポンプ２０は、耐圧ホース１２から高圧ホース１４へ洗浄水が流れる流路に設けられている。モータ２２はポンプ２０を回転駆動する。リリーフバルブ２４は、ポンプ２０に並列に接続されており、ポンプ２０より下流側の洗浄水が過度に高圧となることを防止する。圧力センサ２６は、ポンプ２０より下流側の洗浄水の圧力を計測する。ＥＣＵ２８は、圧力センサ２６で検出される圧力に応じて、モータ２２の動作を制御する。
【００２０】
トリガガン６がノズル８への洗浄水の供給を遮断する状態にある場合、ＥＣＵ２８は、モータ２２を停止しており、ポンプ２０による洗浄水の加圧は行われていない。この状態から、トリガガン６がノズル８へ洗浄水を供給する状態に切り換わると、ポンプ２０より下流側の洗浄水の圧力が低下する。ＥＣＵ２８は、圧力センサ２６によってポンプ２０より下流側の洗浄水の圧力低下を検出すると、モータ２２を駆動する。これによって、ポンプ２０により洗浄水が加圧されて、高圧となった洗浄水が高圧ホース１４を介してトリガガン６へ供給され、ノズル８から洗浄水が噴射される。その後、トリガガン６がノズル８への洗浄水の供給を遮断する状態に切り換わると、ポンプ２０より下流側の洗浄水の圧力が上昇する。ＥＣＵ２８は、圧力センサ２６によってポンプ２０より下流側の洗浄水の圧力上昇を検出すると、モータ２２を停止する。これによって、ポンプ２０による洗浄水の加圧が停止される。上記のようにして、洗浄機本体４は、トリガガン６がノズル８へ洗浄水を供給する状態となると、ポンプ２０による洗浄水の加圧を行い、トリガガン６がノズル８への洗浄水の供給を遮断する状態となると、ポンプ２０による洗浄水の加圧を停止する。
【００２１】
図３、図４に示すように、トリガガン６は、ハウジング３０と、トリガレバー３２と、バルブ３４（図４参照）と、パイプ３６（図４参照）を備えている。ハウジング３０は、右半面の形状を規定する右ハウジング３８（図３参照）と、左半面の形状を規定する左ハウジング４０（図４参照）からなる。右ハウジング３８と左ハウジング４０は、ネジ３１（図３参照）によって互いに固定されている。ハウジング３０は、前後方向に伸びる胴体部３０ａと、胴体部３０ａの後方端部から後方下方に直線状に伸びる把持部３０ｂと、把持部３０ｂの下端から湾曲して胴体部３０ａの後部下面に接続する保護部３０ｃを備えている。
【００２２】
図４に示すように、バルブ３４は、ハウジング３０の胴体部３０ａの後部に収容されている。バルブ３４は、ホース連結部３４ａと、パイプ連結部３４ｂを備えている。ホース連結部３４ａは、バルブ３４の下方に向けて突出しており、胴体部３０ａの下面に形成された開口を介して、ハウジング３０の外部に突出している。ホース連結部３４ａには、高圧ホース１４（図１参照）が接続される。パイプ連結部３４ｂは、バルブ３４の前方に向けて突出している。パイプ３６は、ハウジング３０の胴体部３０ａに収容されている。パイプ３６は、長手方向が胴体部３０ａの長手方向に略一致するように配置されている。パイプ３６は、パイプ３６の後端に設けられたバルブ連結部３６ａと、パイプ３６の前端に設けられたノズル連結部３６ｂを備えている。バルブ連結部３６ａには、バルブ３４のパイプ連結部３４ｂが挿入されている。ノズル連結部３６ｂには、胴体部３０ａの前端に形成された開口を介して、ノズル８（図１参照）が挿入される。ノズル連結部３６ｂには、ノズル８の凸部が係合する凹部３６ｃと、ノズル８を前方に向けて付勢するばね３６ｄ（図５参照）が設けられている。
【００２３】
バルブ３４は、ホース連結部３４ａとパイプ連結部３４ｂの間の流路を開閉する弁体（図示せず）を内蔵している。弁体の開閉は、バルブ３４から上方に向けて突出するピン３４ｃによって切り換えられる。ピン３４ｃは、ばね（図示せず）によって上方に付勢されている。ピン３４ｃが下方に押し込まれていない状態では、バルブ３４の弁体が閉じており、ホース連結部３４ａとパイプ連結部３４ｂの間の流路が遮断されている。ピン３４ｃが下方に押し込まれると、バルブ３４の弁体が開いて、ホース連結部３４ａとパイプ連結部３４ｂの間の流路が連通する。
【００２４】
トリガレバー３２は、左右方向に伸びる回動軸３２ａを介して、ハウジング３０に回動可能に支持されている。トリガレバー３２は、回動軸３２ａから後方下方に伸びており、胴体部３０ａの下面に形成された開口を介してハウジング３０の外部まで突出している。ハウジング３０の外部において、トリガレバー３２は、把持部３０ｂと保護部３０ｃの間の空間に配置されている。トリガレバー３２の回動軸３２ａよりも前方側には、前方に向けて突出する当接片３２ｂが形成されている。
【００２５】
ユーザが一方の手で把持部３０ｂを把持して、トリガレバー３２を引き操作すると、トリガレバー３２が回動軸３２ａ周りに回動して、当接片３２ｂがピン３４ｃを下方に押し込む。これによって、バルブ３４の弁体が開いて、ホース連結部３４ａとパイプ連結部３４ｂの間の流路が連通し、高圧ホース１４からバルブ３４、パイプ３６を介してノズル８へ洗浄水が供給される。ユーザが、トリガレバー３２の引き操作を解除すると、当接片３２ｂがピン３４ｃから離反して、ピン３４ｃが下方に押し込まれなくなる。これによって、バルブ３４の弁体が閉じて、ホース連結部３４ａとパイプ連結部３４ｂの間の流路が遮断され、高圧ホース１４からノズル８への洗浄水の供給が遮断される。
【００２６】
トリガレバー３２の後方下部には、ロックレバー３２ｃが設けられている。ロックレバー３２ｃは、左右方向に伸びる回動軸３２ｄを介して、トリガレバー３２に対して回動可能である。把持部３０ｂの前方下部には、ロックレバー３２ｃに対応して、ロック溝３０ｄが形成されている。ユーザが、ロックレバー３２ｃを回動させて、ロックレバー３２ｃの先端をロック溝３０ｄに係合させると、トリガレバー３２の引き操作が禁止される。
【００２７】
図５に示すように、バルブ３４には、右方向に突出する右支持柱３４ｄと、左方向に突出する左支持柱３４ｅが形成されている。バルブ３４においては、洗浄水は上下方向および前後方向に流れるため、右支持柱３４ｄと左支持柱３４ｅは、洗浄水の流れる方向に対して略直交する方向に突出しているといえる。右支持柱３４ｄは、円筒状の防振ゴム４２を介して、右ハウジング３８に支持されている。左支持柱３４ｅは、円筒状の防振ゴム４４を介して、左ハウジング４０に支持されている。防振ゴム４２、４４は、例えばシリコンゴムからなる。
【００２８】
パイプ３６の前端近傍には、パイプ３６の外周面を覆う支持ブラケット４６が取り付けられている。支持ブラケット４６には、右方向に突出する右支持柱４６ａと、左方向に突出する左支持柱４６ｂが形成されている。パイプ３６においては、洗浄水は前後方向に流れるため、右支持柱４６ａと左支持柱４６ｂは、洗浄水の流れる方向に対して略直交する方向に突出しているといえる。右支持柱４６ａは、円筒状の防振ゴム４８を介して、右ハウジング３８に支持されている。左支持柱４６ｂは、円筒状の防振ゴム５０を介して、左ハウジング４０に支持されている。防振ゴム４８、５０は、例えばシリコンゴムからなる。
【００２９】
パイプ３６の後端近傍には、パイプ３６の外周面から右ハウジング３８および左ハウジング４０の内周面まで拡がる隔壁状の防振ゲル５２が取り付けられている。すなわち、パイプ３６の後端は、防振ゲル５２を介して、右ハウジング３８および左ハウジング４０に支持されている。防振ゲル５２は、例えばシリコンゲルからなる。
【００３０】
高圧洗浄機２においては、洗浄機本体４から高圧ホース１４を介してトリガガン６に供給される洗浄水の水量や水圧が変動することがある。この場合、トリガガン６において洗浄水が流れる流路であるバルブ３４やパイプ３６には、洗浄水の水量や水圧の変動に応じた振動が生じる。この振動がハウジング３０にそのまま伝達すると、トリガガン６を保持しているユーザの手にも振動が伝わり、作業性や快適性を損なってしまう。
【００３１】
本実施例では、バルブ３４が防振ゴム４２、４４を介してハウジング３０に支持されている。このため、洗浄水の水量や水圧の変動に起因してバルブ３４に生じた振動が、ハウジング３０を保持するユーザの手に伝達することを抑制することができる。特に、本実施例では、防振ゴム４２、４４が、バルブ３４からハウジング３０の把持部３０ｂに至る振動伝達経路に介在している。このため、洗浄水の水量や水圧の変動に起因してバルブ３４に生じた振動が、把持部３０ｂを把持するユーザの手に伝達することを抑制することができる。
【００３２】
また、本実施例では、パイプ３６の前端近傍が支持ブラケット４６と防振ゴム４８、５０を介してハウジング３０に支持されている。このため、洗浄水の水量や水圧の変動に起因してパイプ３６に生じた振動が、ハウジング３０を保持するユーザの手に伝達することを抑制することができる。特に、本実施例では、防振ゴム４８、５０が、パイプ３６からハウジング３０の把持部３０ｂに至る振動伝達経路に介在している。このため、洗浄水の水量や水圧の変動に起因してパイプ３６に生じた振動が、把持部３０ｂを把持するユーザの手に伝達することを抑制することができる。
【００３３】
さらに、本実施例では、パイプ３６の後端近傍が防振ゲル５２を介してハウジング３０に支持されている。このため、洗浄水の水量や水圧の変動に起因してパイプ３６に生じた振動が、ハウジング３０を保持するユーザの手に伝達することを抑制することができる。特に、本実施例では、防振ゲル５２が、パイプ３６からハウジング３０の把持部３０ｂに至る振動伝達経路に介在している。このため、洗浄水の水量や水圧の変動に起因してパイプ３６に生じた振動が、把持部３０ｂを把持するユーザの手に伝達することを抑制することができる。
【００３４】
なお、防振ゴム４２、４４、４８、５０や、防振ゲル５２は、他の材質や他の形状の防振部材であってもよい。
【００３５】
以上のように、１つまたはそれ以上の実施形態において、高圧洗浄機２に用いられるトリガガン６は、ハウジング３０と、ハウジング３０の内部に収容されており、洗浄水が流れる流路であるバルブ３４、パイプ３６と、バルブ３４の開閉を切り換えるトリガレバー３２と、バルブ３４、パイプ３６とハウジング３０の間の振動伝達経路に介在する防振部材である防振ゴム４２、４４、４８、５０、防振ゲル５２を備えている。
【００３６】
１つまたはそれ以上の実施形態において、高圧洗浄機２は、洗浄水を加圧して送り出す洗浄機本体４と、洗浄水を噴射するノズル８と、洗浄機本体４とノズル８の間に介在しており、洗浄機本体４からノズル８へ洗浄水を供給する状態と、洗浄機本体４からノズル８への洗浄水の供給を遮断する状態の間で切り換わるトリガガン６を備えている。トリガガン６は、ハウジング３０と、ハウジング３０の内部に収容されており、洗浄水が流れる流路であるバルブ３４、パイプ３６と、バルブ３４の開閉を切り換えるトリガレバー３２と、バルブ３４、パイプ３６とハウジング３０の間の振動伝達経路に介在する防振部材である防振ゴム４２、４４、４８、５０、防振ゲル５２を備えている。
【００３７】
上記の構成では、洗浄水の水量や水圧の変動に起因してバルブ３４やパイプ３６に生じた振動が、ハウジング３０に伝達することが、防振ゴム４２、４４、４８、５０や防振ゲル５２によって抑制される。これによって、ハウジング３０を保持するユーザの手に振動が伝達することを抑制することができる。
【００３８】
１つまたはそれ以上の実施形態において、ハウジング３０は、把持部３０ｂを備えている。防振ゴム４２、４４、４８、５０、防振ゲル５２は、バルブ３４、パイプ３６と把持部３０ｂの間の振動伝達経路に介在している。
【００３９】
上記の構成によれば、洗浄水の水量や水圧の変動に起因してバルブ３４やパイプ３６に生じた振動が、ハウジング３０の把持部３０ｂに伝達することが、防振ゴム４２、４４、４８、５０や防振ゲル５２によって抑制される。これによって、ハウジング３０の把持部３０ｂを把持するユーザの手に振動が伝達することを抑制することができる。
【００４０】
１つまたはそれ以上の実施形態において、バルブ３４、パイプ３６は、洗浄水が流れる方向に略直交する方向に向けて突出する右支持柱３４ｄ、左支持柱３４ｅ、右支持柱４６ａ、左支持柱４６ｂを備えている。右支持柱３４ｄ、左支持柱３４ｅ、右支持柱４６ａ、左支持柱４６ｂは、防振ゴム４２、４４、４８、５０を介して、ハウジング３０に連結している。
【００４１】
上記の構成によれば、バルブ３４やパイプ３６のハウジング３０に対する支持剛性を低減することができ、バルブ３４やパイプ３６からハウジング３０への振動の伝達をより抑制することができる。
【００４２】
１つまたはそれ以上の実施形態において、防振部材は、防振ゴム４２、４４、４８、５０または防振ゲル５２である。
【００４３】
上記の構成によれば、バルブ３４やパイプ３６からハウジング３０への振動の伝達を効果的に抑制することができる。
【００４４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４５】
２      ：高圧洗浄機
４      ：洗浄機本体
６      ：トリガガン
８      ：ノズル
１０    ：給水源
１２    ：耐圧ホース
１４    ：高圧ホース
１６    ：電源コード
１８    ：外部電源
２０    ：ポンプ
２２    ：モータ
２４    ：リリーフバルブ
２６    ：圧力センサ
２８    ：ＥＣＵ
３０    ：ハウジング
３０ａ  ：胴体部
３０ｂ  ：把持部
３０ｃ  ：保護部
３０ｄ  ：ロック溝
３１    ：ネジ
３２    ：トリガレバー
３２ａ  ：回動軸
３２ｂ  ：当接片
３２ｃ  ：ロックレバー
３２ｄ  ：回動軸
３４    ：バルブ
３４ａ  ：ホース連結部
３４ｂ  ：パイプ連結部
３４ｃ  ：ピン
３４ｄ  ：右支持柱
３４ｅ  ：左支持柱
３６    ：パイプ
３６ａ  ：バルブ連結部
３６ｂ  ：ノズル連結部
３６ｃ  ：凹部
３６ｄ  ：ばね
３８    ：右ハウジング
４０    ：左ハウジング
４２    ：防振ゴム
４４    ：防振ゴム
４６    ：支持ブラケット
４６ａ  ：右支持柱
４６ｂ  ：左支持柱
４８    ：防振ゴム
５０    ：防振ゴム
５２    ：防振ゲル
【図１】
2019205958.tif 000003
【図２】
2019205958.tif 000004
【図３】
2019205958.tif 000005
【図４】
2019205958.tif 000006
【図５】
2019205958.tif 000007